(57)【特許請求の範囲】
【請求項１】
被検体のＸ線ＣＴ撮影により得られた投影データに基づいて、当該Ｘ線ＣＴ撮影後に設定された再構成条件に従って当該被検体のＣＴ断層像を再構成するレトロスペクティブリコンを可能とするＸ線ＣＴ装置であって、
前記被検体のＸ線ＣＴ撮影により得られた投影データ又は当該投影データに基づく再構成データに基づきスカウト像に相当するスカウト像データを生成するスカウト像データ生成手段と、
前記生成されたスカウト像データを、前記Ｘ線ＣＴ撮影後に設定する再構成条件の、再構成条件設定用の表示画面に表示する表示制御手段と、
前記表示画面を用いて、前記再構成条件を設定する設定手段と
を備えることを特徴とするＸ線ＣＴ装置。
【請求項２】
スカウト像データ生成手段は、所要ビュー角及び又はその対向ビュー角の投影データを使用してスカウト像データを生成するものであることを特徴とする請求項１に記載のＸ線ＣＴ装置。
【請求項３】
スカウト像データ生成手段は、所要ビュー角近傍のビュー角及び又はその対向ビュー角近傍のビュー角の投影データを加えてスカウト像データを生成するものであることを特徴とする請求項２に記載のＸ線ＣＴ装置。
【請求項４】
スカウト像データ生成手段は、中間位置の投影データを体軸方向に隣接する同一及び又は対向ビュー角の複数の投影データを使用したデータ補間演算により生成するものであることを特徴とする請求項２又は３に記載のＸ線ＣＴ装置。
【請求項５】
スカウト像データ生成手段は、前記再構成データを所要ビュー角の断層面で切り出してスカウト像相当のデータを生成することを特徴とする請求項１から４のいずれか一項に記載のＸ線ＣＴ装置。
【請求項６】
前記表示制御手段は、前記スカウト像データの上に、各スライス位置を示す線が重ねて表示されるものであり、
前記設定手段は、前記スライス位置を設定するものであることを特徴とする請求項１から５のいずれか一項に記載のＸ線ＣＴ装置。
【発明の詳細な説明】
【０００１】
【発明の属する技術分野】
本発明はＸ線ＣＴ装置に関し、更に詳しくは被検体を挟んでＸ線管とＸ線検出器アレイとが相対向し、予め被検体をスキャンし、蓄積した投影データを再利用して被検体のＣＴ断層像を再構成可能とするＸ線ＣＴ装置に関する。
【０００２】
Ｘ線ＣＴ装置の画像再構成方法にはプロスペクティブリコン(Prospective Recon.)とレトロリコン(Retro. Recon.)とがある。プロスペクティブリコンではスキャン直前に設定した再構成条件（スライス位置，スライス厚，再構成アルゴリズム等）に従ってそのスキャン直後に画像再構成を行い、レトロリコンではスキャン後に設定した再構成条件に従って改めて画像再構成を行う。本発明はこのレトロリコンの改良に関する。
【０００３】
【従来の技術】
従来のプロスペクティブリコンでは、スキャン直前に撮影した被検体のスカウト像（２次元レントゲン画像に相当）をコンソールに表示すると共に、オペレータはこのスカウト像に重ねて表示されたカットライン（スキャン位置／スライス位置等）を参照(確認／変更等）することで、スキャン条件（スキャン位置，管電圧ｋＶ，管電流ｍＡ等）やプロスペクティブリコン条件（スライス位置，スライス厚等）のグラフィカルな設定入力を可能としていた。
【０００４】
【発明が解決しようとする課題】
しかし、従来のレトロリコンに際しては上記のようなスカウト像の表示は行われず、このためレトロリコン条件の設定入力に不便を来たしていた。
【０００５】
本発明は上記従来技術の問題点に鑑みなされたもので、その目的とする所は、レトロリコン条件のグラフィカルな設定入力を可能とするＸ線ＣＴ装置を提供することにある。
【０００６】
【課題を解決するための手段】
上記の課題は例えば図１の構成により解決される。即ち、本発明（１）のＸ線ＣＴ装置は、被検体のＸ線ＣＴ撮影により得られた投影データに基づいて、当該Ｘ線ＣＴ撮影後に設定された再構成条件に従って当該被検体のＣＴ断層像を再構成するレトロスペクティブリコンを可能とするＸ線ＣＴ装置であって、前記被検体のＸ線ＣＴ撮影により得られた投影データ又は当該投影データに基づく再構成データに基づきスカウト像に相当するスカウト像データを生成するスカウト像データ生成手段と、前記生成されたスカウト像データを、前記Ｘ線ＣＴ撮影後に設定する再構成条件の、再構成条件設定用の表示画面に表示する表示制御手段と、前記表示画面を用いて、前記再構成条件を設定する設定手段とを備えるものである。
【０００７】
従って、オペレータは表示画面１３ｂ上のスカウト像を参照したグラフィカルな操作によりレトロリコンパラメータを容易かつ適正に設定できる。
【０００８】
好ましくは本発明（２）においては、上記本発明（１）において、スカウト像データ生成手段１は、所要ビュー角及び又はその対向ビュー角の投影データを使用してスカウト像データを生成する。
【０００９】
従って、特にヘリカルスキャンされた投影データを使用する場合には、所要ビュー角及びその対向ビュー角の投影データを使用することで、被検体の体軸方向に密なスカウト像データを容易に生成できる。
【００１０】
また好ましくは本発明（３）においては、上記本発明（２）において、スカウト像データ生成手段１は、所要ビュー角近傍のビュー角及び又はその対向ビュー角近傍のビュー角の投影データを加えてスカウト像データを生成する。
【００１１】
被検体のスカウト像データ（２次元レントゲンデータ）を生成する目的からすると、所要ビュー角の投影データは元より、所要ビュー角から多少ずれた近傍ビュー角の投影データであっても、被検体の所要ビュー角における透視映像（特に被検体輪郭部の透視映像）を良く表している。しかも、特にヘリカルスキャンされた投影データを使用する場合は、僅かなビュー角の相違であってもその区間に投影データは体軸方向にずれているから、これらの投影データを加えることで被検体の体軸方向に一層密なスカウト像データを生成できる。対向ビュー角近傍の投影データについても同様である。
【００１２】
また好ましくは本発明（４）においては、上記本発明（２）又は（３）において、スカウト像データ生成手段１は、中間位置の投影データを体軸方向に隣接する同一及び又は対向ビュー角の複数の投影データを使用したデータ補間演算により生成する。従って、被検体の体軸方向に滑らかなスカウト像データを生成できる。
【００１３】
また本発明（５）においては、上記本発明（１）〜（４）において、スカウト像データ生成手段は、前記再構成データを所要ビュー角の断層面で切り出してスカウト像相当のデータを生成する。
【００１４】
体軸方向に密な複数の再構成データ（ＣＴ断層像データ）を所要ビュー角の断層面（体軸と平行な面）で切り出したものは、被検体の断面視形状（特に輪郭部分の形状）の特徴を良く表している。そこで、これをスカウト像相当のデータとして使用する。この場合に、特に３次元の再構成データが存在する場合は、正確な断面視像を表示できる。
【００１５】
好ましくは本発明（６）においては、上記本発明（１）〜（５）において、前記表示制御手段は、前記スカウト像データの上に、各スライス位置を示す線が重ねて表示されるものであり、前記設定手段は、前記スライス位置を設定するものである。
【００１６】
【発明の実施の形態】
以下、添付図面に従って本発明に好適なる実施の形態を詳細に説明する。なお、全図を通して同一符号は同一又は相当部分を示すものとする。
【００１７】
図２は実施の形態によるＸ線ＣＴ装置の要部構成図で、該装置はＸ線ファンビームＸＬＦＢにより被検体１００のアキシャル／ヘリカルスキャン・読取等を行う走査ガントリ部３０と、被検体１００を載せて体軸ＣＬｂの方向に移動させる撮影テーブル２０と、オペレータが操作する遠隔の操作コンソール部１０とを備える。
【００１８】
走査ガントリ部３０において、４０は回転陽極型のＸ線管、４０ＡはＸ線制御部、５０はＸ線の曝射範囲（主に体軸ＣＬｂ方向）の制限を行うコリメータ、５０Ａはコリメータ制御部、９０はチャネルＣＨ方向に並ぶ多数（ｎ＝１０００程度）のＸ線検出器が体軸ＣＬｂ方向の例えば４列Ｌ１〜Ｌ４に配列されているＸ線検出器アレイ（マルチディテクタ）、９１はＸ線検出器アレイ９０の検出信号に基づき被検体１００の投影データｇ1（Ｘ，θ）〜ｇ4（Ｘ，θ）を生成し、収集するデータ収集部（ＤＡＳ）、３０Ａは走査ガントリ（Ｘ線撮影系）を被検体１００の体軸ＣＬｂの周り回転させる回転制御部である。
【００１９】
操作コンソール部１０において、１１はＸ線ＣＴ装置の主制御・処理（スキャン制御，ＣＴ断層像の再構成処理、本発明によるレトロリコン処理等）を行う中央処理装置、１１ａはそのＣＰＵ、１１ｂはＣＰＵ１１ａが使用するＲＡＭ，ＲＯＭ等からなる主メモリ（ＭＭ）、１２はキーボードやマウス等を含む指令やデータの入力装置、１３はスキャン計画，リコン計画及び画像再構成されたＣＴ断層像等を表示するための表示装置（ＣＲＴ）、１４はＣＰＵ１１ａと走査ガントリ部３０及び撮影テーブル２０との間で各種制御信号ＣＳやモニタ信号ＭＳのやり取りを行う制御インタフェース、１５はデータ収集部９１からの投影データを一時的に蓄積するデータ収集バッファ、１６はデータ収集バッファ１５からの投影データＲＡＤ（スカウト像データを含む）や画像再構成されたイメージデータＩＭＤを蓄積・格納すると共に、Ｘ線ＣＴ装置の運用に必要な各種アプリケーションプログラムや各種演算／補正用のデータファイル等を格納している二次記憶装置（ハードディスク装置等）である。
【００２０】
係る構成により、Ｘ線管４０からのＸ線ファンビームＸＬＦＢは被検体１００を透過してＸ線検出器アレイ９０の検出列Ｌ１〜Ｌ４に一斉に入射する。データ収集部９１はＸ線検出器アレイ９０の各検出出力に対応する投影データｇ1（Ｘ，θ）〜ｇ4（Ｘ，θ）を生成し、これらをデータ収集バッファ１５に格納する。ここで、ＸはＸ線検出器アレイ９０の検出チャネル1〜ｎ、θは体軸の回りのビュー角を表す。更に、走査ガントリが僅かに回転した各ビュー角θで上記同様の投影を行い、こうして走査ガントリ１回転分の投影データを収集・蓄積する。また同時に、アキシャル／ヘリカルスキャン方式に従って撮影テーブル２０を被検体１００の体軸方向に間欠的／連続的に移動させ、こうして被検体１００の所要撮影領域についての全投影データを収集・蓄積する。そして、ＣＰＵ１１ａは、上記全スキャンの終了後、又はスキャン実行に追従（並行）して、得られた投影データに基づき被検体１００のＣＴ断層像を再構成（プロスペクティブリコン）し、これを表示装置１３に表示する。また、上記スキャン／再構成されたデータを再利用して被検体のＣＴ断層像を再構成（レトロリコン）することも可能である。以下、動作を詳細に説明する。
【００２１】
図３は実施の形態によるＸ線ＣＴ撮影処理のフローチャートである。好ましくは、事前に被検体１００のスカウトスキャンを行った後、この処理に入る。ステップＳ１１では、続く被検体１００のアキシャル／ヘリカルスキャンのためのスキャンパラメータを設定する。
【００２２】
図４に実施の形態におけるスキャンパラメータ入力処理のイメージを示す。事前のスカウトスキャンの終了後、表示画面１３Ａには続くアキシャル／ヘリカルスキャンのためのスキャン設定画面１３ａが表示され、オペレータは、必要なスキャンパラメータをマウスでクリック入力又はキー入力する。イメージＱの取得のための一例のスキャン計画は以下の通りである。
【００２３】
スキャンタイプ[Scan Type]＝アキシャルスキャン
体軸上のスキャン開始位置[Start Loc]＝Ｚ１
体軸上のスキャン終了位置[End Loc]＝Ｚ１０
スキャン枚数[NO.of Images]＝１０枚
被検体のスライス厚[Thick]＝２ｍｍ
スキャンタイム[Sec]＝１秒／ガントリ１回転
Ｘ線管の管電圧[kV]＝１２０ｋＶ
Ｘ線管の管電流[mA]＝２８０ｍＡ
更に、このスキャン設定画面上で操作者が[Show Localizer]アイコンをクリックすると、表示画面１３Ａのイメージ表示エリア１３ｂには図示のような被検体１００のスカウト像１００Ａが表示され、その上に各スライス位置を示す線（カットライン）が重ねて表示される。図の実太線はスキャンの開始及び終了位置、また点線は中間の各スライス位置を夫々表す。オペレータはイメージ表示エリア１３ｂ上のスカウト像１００Ａを見ることで、カットライン等を確認し、かつ必要ならマウスやキーボードにより変更可能である。
【００２４】
なお、図示しないが、オペレータは表示画面１３ａ上のプロスペクティブリコン「Ｐ−ＲＥＣＯＮ」タグをクリックすることで、プロスペクティブリコンパラメータ（再構成するスライス位置，スライス厚，再構成アルゴリズム，イメージフィルタ等）を設定入力可能である。
【００２５】
図３に戻り、ステップＳ１２では確認「ＣＯＮＦＩＲＭ」ボタンの入力を待ち、やがて、「ＣＯＮＦＩＲＭ」ボタンが入力されると、ステップＳ１３では上記設定されたスキャンパラメータに従って被検体１００のスキャン制御を行う。ステップＳ１４では被検体１００の投影データを収集・蓄積する。ステップＳ１５では所要撮影領域のスキャン完了か否かを判別し、完了でない場合はステップＳ１３に戻る。こうして、やがてスキャン完了すると、ステップＳ１６ではプロスペクティブリコンパラメータに従って被検体１００のＸ線ＣＴ断層像を再構成する。ステップＳ１７では得られたＸ線ＣＴ断層像を表示装置１３に表示する。なお、このプロスペクティブリコン処理及びその再構成データの表示は上記スキャン制御の進行と並行して行っても良い。そして、上記得られたスカウト像データ、スキャンされた投影データ、再構成されたＣＴ断層像データ等は二次記憶装置１６に保存される。
【００２６】
図５は実施の形態によるレトロリコン処理のフローチャートである。オぺレータがレトロリコンを実行したい場合は、表示画面１３ａ上のレトロリコン「Ｒ−ＲＥＣＯＮ」タグをクリックし、かつ所望のイメージ番号（例えばイメージＨ）を入力する。これにより、図５の処理に入力する。
【００２７】
ステップＳ２１ではイメージＨについてのスカウト撮影データが有るか否かを判別し、ある場合はディスク１６からイメージＨのスカウト撮影データを読み出し、後述のステップＳ２５に進む。一般に、胸部や腹部等の広範囲なスキャンを行う場合は事前にスカウト像を撮影するが、頭部などの狭い範囲をスキャンする場合はスカウト像を撮影しないことが多い。
【００２８】
イメージＨのスカウト撮影データがない場合はイメージＨの再構成データ又は投影データ（スキャンデータ）からスカウト撮影データに相当するスカウト像データを作成する。即ち、ステップＳ２２ではイメージＨの再構成データが有るか否かを判別し、有る場合はステップＳ２３で当該再構成データからスカウト像データを生成する。また、無い場合はステップＳ２４でイメージＨの投影データからスカウト像データを生成する。以下、スカウト像データの生成方法を詳細に説明する。
【００２９】
図７〜図９は実施の形態によるスカウト像データ生成処理のイメージ図（１）〜（３）で、図７は被検体の再構成データからスカウト像データを生成する場合を示している。複数の小スライスピッチＳＰで再構成された再構成データが存在する場合は、これらを体（ｚ）軸方向の各スライス位置対応に重ね合わせることで図示のような実質３次元のイメージ画像が得られる。これを、例えば体軸ＣＬｂを含むようなｙ−ｚ平面（ビュー角９０°）で切り出すと、Ｘ線ＣＴ値の２次元集合からなる被検体１００の断面視画像データ１００Ｂが得られる。この画像は本来のスカウト（レントゲン）像とは異なるが、レトロリコン情報を設定入力するために必要なグラフィカル情報（特に被検体輪郭部の情報）を十分に含んでいる。従って、簡単な画像の切り出し処理によりスカウト像相当のスカウト像データ１００Ｂが得られる。
【００３０】
なお、体軸ＣＬｂを含むようなｘ−ｚ平面で切り出せば被検体正面からのスカウト像データ１００Ｂが得られる。また、図示の如く、３次元イメージの再構成データが存在する場合も有り、この場合も上記同様にして所望ビュー角のスカウト像データ１００Ｂを切り出せる。
【００３１】
図８は被検体の投影データからスカウト像データを生成する場合を示し、図８（Ａ）は被検体１００をマルチディテクタ９０でヘリカルスキャンした時の側面図を示す。図において、Ｘ線管４０から曝射されたＸ線ファンビームＸＬＦＢは被検体１００を透過してＸ線検出器アレイ９０に一斉に入射し、各検出列Ｌ１〜Ｌ４から対応する投影データｇ1（Ｘ，θ）〜ｇ4（Ｘ，θ）が得られる。ここで、ＸはＸ線検出器アレイ９０の検出チャネル１〜ｎを表し、θは走査ガントリのビュー角を表す。
【００３２】
マルチディテクタ９０を使用したヘリカルスキャンでは走査ガントリ（Ｘ線撮影系４０，９０等）を体軸ＣＬｂの周りに回転させると共に、撮影テーブル２０をｚ軸と反対方向に連続して移動させることで、得られるスキャン軌跡は図示の如く螺旋状となる。図は検出列Ｌ１〜Ｌ４のヘリカルスキャン軌跡を示しており、実線はビュー角θ＝０°〜１８０°（紙面手前側）の軌跡に対応し、点線はビュー角θ＝１８０°〜３６０°（紙面裏側）の軌跡に対応する。
【００３３】
被検体１００を側面から見た場合のスカウト像データを生成する場合は、ビュー角９０°の各投影データｇ1（Ｘ，９０°）〜ｇ4（Ｘ，９０°）と、その対向ビュー角２７０°の各投影データｇ1（Ｘ，２７０°）〜ｇ4（Ｘ，２７０°）をそのまま使用できる。なお、以下の説明では、対向ビュー角２７０°の投影データｇ1（Ｘ，２７０°）〜ｇ4（Ｘ，２７０°）を検出列データＣ１〜Ｃ４と呼び、またビュー角９０°の投影データｇ1（Ｘ，９０°）〜ｇ4（Ｘ，９０°）を検出列データＣ５〜Ｃ９とも呼ぶ。このように、まずは所要ビュー角と、その対向ビュー角の各検出列データＣ１〜Ｃ９を抽出することにより、体軸方向に比較的密なスカウト像データ１００Ｂを生成できる。
【００３４】
しかし、実際のスカウト像はｚ軸方向に連続している。そこで、好ましくは、各検出列データＣ１〜Ｃ９の間を埋めるような各投影データをデータ補間演算により生成する。図８（Ｂ）に上記図８（Ａ）の一部をｚ軸方向に拡大した一部拡大図を示す。図において、今、ビュー角９０°における中間列Ｈ１の投影データの生成は、例えばｚ軸方向に隣り合う２列分の検出列データＣ６，Ｃ７を使用して、各チャネルデータＸj（ｊ＝１〜ｎ）毎のｚ軸方向の距離ａ，ｂに応じた重み付けデータ補間演算により求められる。例えば、検出チャネルＸjの両投影データをｇ2（Ｘj，９０°）＝Ａ，ｇ3（Ｘj，９０°）＝Ｂとすると、中間列Ｈ１の投影データＨ１jは、
Ｈ１j＝Ａ＋｛ａ／（ａ＋ｂ）｝＊（Ｂ−Ａ）
により求まる。ここで、距離ａ＝０の時はＨ１j＝Ａ、また距離b＝０の時はＨ１j＝Ｂとなり、これらの中間位置では輝度がＡからＢに向かって滑らかに推移する。他の検出列間でも同様である。また同様にして、対向ビュー角２７０°の各検出列データＣ１〜Ｃ４の間もデータ補間できる。
【００３５】
一方、ビュー角９０°とその対向ビュー角２７０°との境界部における中間列Ｈ２の各投影データは、同じくｚ軸方向に隣り合う２列分の検出列データＣ５，Ｃ６を使用して、各チャネルデータＸi，Ｘj毎のｚ軸方向の距離に応じた重み付けデータ補間演算により求められる。但し、この場合のチャネル番号ｉ，ｊは体軸ＣＬbを中心として対称の位置にある。即ち、例えばｉ＝１の時、ｊ＝ｎ、ｉ＝ｎ／２の時、ｊ＝ｎ／２、ｉ＝ｎの時、ｊ＝１である。
【００３６】
なお、被検体１００を正面から見た場合のスカウト像データを生成する場合は、ビュー角０°の投影データｇ1（Ｘ，０°）〜ｇ4（Ｘ，０°）と、その対向ビュー角１８０°の投影データｇ1（Ｘ，１８０°）〜ｇ4（Ｘ，１８０°）とを使用して上同様にスカウト像データを生成できる。他の任意ビュー角についてのスカウト像データも同様に生成できる。
【００３７】
好ましくは、更に所要ビュー角近傍のビュー角及び又はその対向ビュー角近傍のビュー角の各投影データを加えてスカウト像データを生成可能である。以下、これを具体的に説明する。
【００３８】
図９（Ａ）は走査ガントリをｚ軸方向に見た場合の正面図で、ここでは、ビュー角９０°におけるＸ線管４０とＸ線検出器アレイ９０の関係を実線で示し、かつその近傍ビュー角（９０°＋α）／（９０°−β）における同関係を点線／破線で夫々示す。図において、今、ビュー角９０°の投影データ分布に着目すると、被検体１００の体軸ＣＬｂを透過した投影データｏを中心としてその上下両側には被検体１００の両端部Ｐ，Ｑを透過した投影データｐ，ｑまでが展開している。この内の被検体両端部Ｐ，Ｑに各対応する投影データｐ，ｑは被検体の輪郭部の形状を良く表しており、よってレトロリコンパラメータを設定入力する際の重要なグラフィック情報となり得る。
【００３９】
次に近傍ビュー角（９０°＋α）／（９０°−β）の投影データ分布に着目すると、上記同様にして体軸ＣＬｂを透過した投影データｏ’の上下には被検体の略両端部Ｐ，Ｑを透過した投影データｐ’，ｑ’までが、また体軸ＣＬｂを透過した投影データｏ”の上下には同じく略両端部Ｐ，Ｑを透過した投影データｐ”，ｑ”までが夫々展開している。この内の略両端部Ｐ，Ｑに各対応する投影データｐ’，ｐ”，ｑ’，ｑ"は被検体の輪郭部の形状を良く表しており、しかも、図示の如く、被検体の両端部Ｐ，Ｑの透視映像はビュー角９０°と、その近傍ビュー角（９０°＋α）／（９０°−β）との間でかなり類似している。従って、ビュー角９０°のみならず，その近傍ビュー角（９０°＋α）／（９０°−β）の投影データ（特に被検体輪郭部のデータ）も、レトロリコンパラメータを設定入力する際の重要なグラフィック情報となり得る。
【００４０】
図９（Ｂ）に走査ガントリをｘ軸方向に見た場合の側面図を示す。今、ビュー角９０°の検出列データＣ５に着目すると、ヘリカルスキャンではビュー角の僅かな相違＋α，−βであってもこの区間内にディテクタ９０の位置はｚ軸方向に変位しており、この変位はヘリカルピッチＨＰが大きいほど大きい。これにより、検出列データＣ５のｚ軸方向の前後には検出列データＣ５”，Ｃ５’が得られ，このうちの少なくとも被検体両端部における投影データ（ｐ”，ｐ，ｐ’）（ｑ"，ｑ，ｑ’）はよく類似している。
【００４１】
そこで、好ましくは、更にこのような所要ビュー角９０°の近傍のビュー角（９０°＋α），（９０°−β）及び又はその対向ビュー角２７０°の近傍のビュー角（２７０°＋α），（２７０°−β）の各投影データを考慮に加えてスカウト像データを生成する。例えば各検出列データＣ５”，Ｃ５’を夫々図の矢印方向にオフセットさせて使用する。
【００４２】
図５に戻り、ステップＳ２５では上記読出した又は生成されたスカウト像データ１００Ａ／１００Ｂを表示部１３のイメージ表示エリア１３ｂに表示する。ステップＳ２６ではオペレータがレトロリコンパラメータを設定する。
【００４３】
図６に実施の形態におけるレトロリコンパラメータ入力処理のイメージを示す。頭部イメージＨのレトロリコンのための一例の計画は以下の通りである。
【００４４】
体軸上のリコン開始位置[Start Loc]＝Ｚ１
体軸上のリコン終了位置[End Loc]＝Ｚ１０
リコン枚数[NO.of Images]＝１０枚
再構成アルゴリズム＝デフォルト
イメージフィルタ＝デフォルト
リコンエリアのマトリクスサイズ＝２５６×２５６画素
オペレータはイメージ表示エリア１３ｂ上のスカウト像を見ることで、上記スキャン計画で述べたと同様にしてレトロリコン計画を設定し、かつ必要なら重ねて表示されているカットラインを操作(変更）・確認可能である。
【００４５】
なお、上記実施の形態では医療用Ｘ線ＣＴ装置への適用例を述べたが、本発明は産業用Ｘ線ＣＴ装置にも適用できる。
【００４６】
また、上記一例のデータ補間方法を示したが、これに限らない。他にも例えば各抽出投影データから得られるｙ−ｚ平面上のスカウト象データに対して公知の様々な２次元画像処理（２次元の中間画素予測処理，２次元画素のフィルタ処理等）を施すことにより全体として滑らかなスカウト象データを生成できる。この点は、再構成データ（Ｘ線ＣＴ値）から生成するスカウト像データについても同様である。
【００４７】
また、上記実施の形態では所望の全領域のスカウト像データを対応するスカウト撮影データ，投影データ又は再構成データから生成したが、これに限らない。各部分領域につき異なる方法（異なる種類の蓄積データ）で生成したスカウト像データを合成して全領域のスカウト像データを生成しても良い。従って、様々な形態の蓄積データの有効利用となると共に、より大きな被検体領域を参照してのレトロリコン計画を可能とする。
【００４８】
また、上記実施の形態ではヘリカルスキャンで得られた投影データからスカウト像データを生成したが、アキシャルスキャンで得られた投影データから生成しても良い。
【００４９】
また、上記本発明に好適なる実施の形態を述べたが、本発明思想を逸脱しない範囲内で各部の構成、制御、処理及びこれらの組合せの様々な変更が行えることは言うまでもない。
【００５０】
【発明の効果】
以上述べた如く本発明によれば、レトロリコン計画の際に所要のスカウト像を表示できるので、オペレータはスカウト像を参照するグラフィカルな操作に基づきリコンパラメータを容易かつ適正に設定できる。
【図面の簡単な説明】
【図１】本発明の原理を説明する図である。
【図２】実施の形態によるＸ線ＣＴ装置の要部構成図である。
【図３】実施の形態によるＸ線ＣＴ撮影処理のフローチャートである。
【図４】実施の形態におけるスキャンパラメータ入力処理のイメージ図である。
【図５】実施の形態によるレトロリコン処理のフローチャートである。
【図６】実施の形態におけるレトロリコンパラメータ入力処理のイメージ図である。
【図７】実施の形態によるスカウト像データ生成処理のイメージ図（１）である。
【図８】実施の形態によるスカウト像データ生成処理のイメージ図（２）である。
【図９】実施の形態によるスカウト像データ生成処理のイメージ図（３）である。
【符号の説明】
１０  操作コンソール
１１  中央処理装置
１１ａ  ＣＰＵ
１１ｂ  主メモリ（ＭＥＭ）
１２  入力装置
１３  表示装置（ＣＲＴ）
１４  制御インタフェース
１５  データ収集バッファ
１６  二次記憶装置（ディスク装置等）
２０  撮影テーブル
３０  走査ガントリ部
３０Ａ  回転制御部
４０  Ｘ線管
４０Ａ  Ｘ線制御部
５０  コリメータ
５０Ａ  コリメータ制御部
３０Ａ  回転制御部
９０  Ｘ線検出器アレイ
９１  データ収集部（ＤＡＳ）
【図１】
0004542256.tif 000002
【図２】
0004542256.tif 000003
【図３】
0004542256.tif 000004
【図４】
0004542256.tif 000005
【図５】
0004542256.tif 000006
【図６】
0004542256.tif 000007
【図７】
0004542256.tif 000008
【図８】
0004542256.tif 000009
【図９】
0004542256.tif 000010